(57)【特許請求の範囲】
【請求項１】
一対の平行な支柱と、
それらの支柱間に張設されたスクリーンと、
前記支柱に支持され、前記スクリーンに対して散水するための散水装置と、
前記両支柱の一端にそれぞれ設けられた取付板部と、
前記支柱間に架設され、前記スクリーン上を流下する水を受けるとともに、その水を排出する排水部に接続された樋部材と、
前記両取付板部が取り付けられた箱状の支持台と、
前記支持台の内部に、水を貯水する貯水タンクとを設けたことを特徴とする散水スクリーン装置。
【請求項２】
前記散水装置は、前記スクリーン内部に配置されていることを特徴とする請求項１に記載の散水スクリーン装置。
【請求項３】
前記貯水タンクには、前記排水部に接続された排水路が設けられていることを特徴とする請求項２に記載の散水スクリーン装置。
【発明の詳細な説明】
【技術分野】
【０００１】
この発明は、屋外や屋内においてスクリーンに対して散水を行い、水の蒸発にともなう気化熱や輻射冷熱により屋外や屋内の空間を冷却するようにした散水スクリーン装置に関するものである。
【背景技術】
【０００２】
従来、屋外の空間を冷却するための技術としては、例えば、水を微細な霧状にして空中に噴霧するミスト散布が知られている。また、多孔質の舗装ブロック、その下部の砂層あるいは路盤等に水を保持させ、その水を舗装ブロック材料の毛細管作用により、舗装ブロックの表面にしみ出させて、打ち水効果を得るようにした舗装路も知られている。
【０００３】
しかしながら、ミスト散布では、風の影響を受けやすく、風によってミストが拡散して冷却効果が著しく低下する。また、打ち水効果を狙った舗装路においては、舗装ブロックの表面にしみ出した水が、その気化熱により専ら熱容量の大きな舗装ブロックの温度を低減させるのみある。従って、前記の両従来技術ともに、屋外の空間を効果的に冷却することはできなかった。
【０００４】
これに対し、例えば特許文献１に開示されるような冷却用の網状遮蔽体も、従来から提案されている。この特許文献１に記載の従来構成においては、ブラインドやシャッターとして用いられる網状遮蔽体の上部に水が供給されることにより、網状遮蔽体が湿潤される。そして、網状遮蔽体から水が蒸発されて、その気化熱により周囲空気が冷やされるようになっている。
【先行技術文献】
【特許文献】
【０００５】
【特許文献１】特開２００８−２５１４２号公報
【発明の概要】
【発明が解決しようとする課題】
【０００６】
ところが、前記特許文献１に記載の従来構成においては、装置の設置のための具体的構造については言及されていない。よって、この従来構成では、装置の設置場所を必要に応じて選択することができず、所要箇所の空間を冷却するという要求に応じることができないことが多分にあった。
【０００７】
この発明は、このような従来の技術に存在する問題点に着目してなされたものである。この発明の目的とするところは、屋外の広場や屋内等、設置場所に自在に選択することができる散水スクリーン装置を提供することにある。
【課題を解決するための手段】
【０００８】
上記の目的を達成するために、この発明では、一対の平行な支柱と、それらの支柱間に張設されたスクリーンと、前記支柱に支持され、前記スクリーンに対して散水するための散水装置と、前記両支柱の一端にそれぞれ設けられた取付板部と、前記支柱間に架設され、前記スクリーン上を流下する水を受けるとともに、その水を排出する排水部に接続された樋部材と、前記両取付板部が取り付けられた箱状の支持台と、前記支持台の内部に、水
を貯水する貯水タンクとを設けたことを特徴としている。
【０００９】
従って、この発明においては、支柱の取付板部に支持台を取り付ければ、装置全体を屋外の不整地に設置することができる。これに対して、支柱の取付板部を設置個所に埋め込まれたボルト等に直接固定すれば、支持台を用いることなく、装置全体を安定に設置することができる。そして、この装置の設置状態で、支柱間に張設されたスクリーンに対して散水装置から散水が行われて、スクリーンの全面が湿潤される。このため、スクリーンに接触する空気によって水が気化されることにより、空気から気化熱が奪われる。
【００１０】
前記の構成において、前記散水装置は、前記スクリーン内部に配置されていることが好ましい。
さらに、前記の構成において、前記貯水タンクには、前記排水部に接続された排水路が設けられていることが好ましい。
【発明の効果】
【００１１】
以上のように、この発明によれば、散水スクリーン装置の設置場所を自在に選択できて、その設置空間を効果的に冷却することができるという効果を発揮する。
【図面の簡単な説明】
【００１２】
【図１】第１実施形態の散水スクリーン装置を示す斜視図。
【図２】図１の散水スクリーン装置の要部縦断面図。
【図３】図２の３−３線における部分拡大断面図。
【図４】図２の４−４線における部分拡大断面図。
【図５】図１の散水スクリーン装置の異なった設置状態を示す要部側面図。
【図６】同散水スクリーン装置の別の設置状態を示す要部側面図。
【図７】第２実施形態の散水スクリーン装置を示す断面図。
【図８】第３実施形態の散水スクリーン装置を示す正面図。
【図９】第４実施形態の散水スクリーン装置を示す正面図。
【発明を実施するための形態】
【００１３】
以下に、この発明を具体化した散水スクリーン装置の第１実施形態を、図面に従って説明する。
図１に示すように、この実施形態の散水スクリーン装置は、フレーム２１を備えている。このフレーム２１は、左右一対の平行に延びる支柱２２，２３と、両支柱２２，２３の上端部間に架設された上枠部２４と、両支柱２２，２３の下端部間に架設された下枠部２５とにより、全体として四角枠状をなすように構成されている。
【００１４】
図４に示すように、前記両支柱２２，２３は断面Ｃ型状のステンレス鋼材により構成され、その開口部を外側にした状態で配置されている。支柱２２，２３の外側開口部には、カバー２６が複数のネジ２７により着脱可能に取り付けられている。図３に示すように、上枠部２４は断面Ｃ型状のステンレス鋼材により構成され、その開口部を下側にした状態で配置されている。下枠部２５は断面Ｃ型状のステンレス鋼材により構成され、その開口部を上側にした状態で配置されている。そして、この下枠部２５により、後述する散水装置４４から散水された水を受けるための樋部材が構成されている。
【００１５】
前記フレーム２１の下部には、箱状の支持台２８が着脱可能に固定されている。すなわち、両支柱２２，２３の下端部には、支持台２８の上面に固定可能な取付板部２２ａ，２３ａが溶接固定されている。この支柱２２，２３の取付板部２２ａ，２３ａには図３に示す複数の取付孔２２ｂ，２３ｂが形成されている。そして、この取付孔２２ｂ，２３ｂを通る複数のボルト２９により取付板部２２ａ，２３ａが支持台２８の上面に取り付けられて、ボルト２９にナット２２ｃ，２３ｃが締め付けられることにより、フレーム２１の下部に支持台２８が着脱可能に固定されている。
【００１６】
前記上枠部２４内において両支柱２２，２３の上端部間には、円筒状の上部回転軸３０が回転可能に、かつ水平面内に位置するように支持されている。下枠部２５内において両支柱２２，２３の下端部間には、円筒状の下部回転軸３１が回転可能に、かつ上部回転軸３０と平行に延びるように支持されている。両回転軸３０，３１間には、環状のスクリーン３２が張設されている。このスクリーン３２は経糸と緯糸とよりなる布材により構成され、その表面には宣伝広告等の表示が施されている。前記スクリーン３２の経糸と緯糸との間には、０．３〜３ｍｍ程度の細隙が形成されている。
【００１７】
前記左側の支柱２２の上端内側面には、モーター３３がそのほぼ全体を上部回転軸３０の内部に収容した状態で支持されている。そして、このモーター３３によって上部回転軸３０が回転されることにより、スクリーン３２が両回転軸３０，３１間で周回される。両回転軸３０，３１間において両支柱２２，２３の内側面には、それぞれ一対の断面Ｌ字状の案内板５４が上下方向へ平行に延びるように固定されている。そして、これらの案内板５４がスクリーン３２の左右両端縁の裏面側（内面側）に係合することにより、スクリーン３２の周回移動が案内される。スクリーン３２は、両回転軸３０，３１の両端フランジ部５５によって左右の幅端部が位置決めされ、左右位置が規制される。
【００１８】
図１及び図２に示すように、前記左側の支柱２２の外側面には、操作パネル３４が設けられている。この操作パネル３４上には、装置の運転を自動と手動とに切り換えるための切換つまみ３５、運転の開始ボタン３６、運転の停止ボタン３７、スクリーン３２を正転させるための正転ボタン３８、スクリーン３２を逆転させるための逆転ボタン３９、及び装置の運転を非常停止させるための非常停止ボタン４０が設けられている。
【００１９】
前記左側の支柱２２の内部には、モーター３３及び操作パネル３４に対する給電線４１が収容されている。支持台２８の左側面にはコネクタ４２が設けられ、給電線４１の下端部が支持台２８内においてコネクタ４２に接続されている。そして、このコネクタ４２に延長ケーブル４３が接続されることにより、給電線４１を介してモーター３３及び操作パネル３４に給電されるようになっている。
【００２０】
図１〜図３に示すように、前記スクリーン３２の周回域内において、両支柱２２，２３間には散水装置４４が支持されている。この散水装置４４は、両支柱２２，２３間に架設されたステンレス鋼材よりなる四角パイプ状の導水管４５と、その導水管４５の外周面に長さ方向へ所定間隔おきに突設された複数のミスト噴射ノズル４６とを備えている。右側の支柱２３の内部には、散水装置４４の導水管４５に水を供給するための給水ホース４７が収容されている。前記支持台２８の右側面には接続口４８が設けられ、給水ホース４７の下端部が支持台２８内において接続口４８に接続されている。また、この接続口４８には、図示しない一般上水道から延びる外部給水ホース４９が接続される。
【００２１】
そして、前記右側の支柱２３内において給水ホース４７に接続された図示しない電磁バルブが開放されることにより、散水装置４４の導水管４５内に水が供給される。このため、各ミスト噴射ノズル４６からスクリーン３２の前面の裏面側に対して水がミスト状に散布される。そして、この水が気化されることにより、空気から気化熱が奪われて、周囲の空気が冷却される。また、スクリーン３２の表面が冷熱輻射面になり、周囲に対して輻射冷熱効果が与えられる。
【００２２】
前記フレーム２１の下枠部２５の左端下部には、排水部としての排水ホース５０がジョイント５１を介して接続されている。前記支持台２８の左側面には接続口５２が設けられ、排水ホース５０の下端部が支持台２８内において接続口５２に接続されている。また、この接続口５２には、図示しない排水路等に延びる排水延長ホース５３が接続される。そして、前記散水装置４４からスクリーン３２に散水されて、そのスクリーン３２の表面あるいは裏面に沿って流下する水が、樋部材としての下枠部２５内に回収された後、排水ホース５０を介して排出される。
【００２３】
図３に示すように、前記フレーム２１における下枠部２５の開口両側縁には、一対の清掃手段としての清掃ブラシ６５がブラシホルダ６６を介して取り付けられている。各清掃ブラシ６５は、スクリーン３２の表面全体に接触するように、スクリーン３２の幅方向の全長にわたって延長配置されている。そして、モーター３３によりスクリーン３２が両回転軸３０，３１間で周回移動されるとき、各清掃ブラシ６５によってスクリーン３２の表面が清掃されるようになっている。
【００２４】
次に、前記両支柱２２，２３の下端の取付板部２２ａ，２３ａに取り付けられた支持台２８について詳細に説明する。
図１及び図２に示すように、支持台２８の前面及び後面には、装置全体を持ち運ぶための複数のハンドル６１が突設されている。そして、このハンドル６１を把持して、装置全体を屋外の整地または不整地の広場や、屋内の設置個所に搬送して、設置できるようになっている。支持台２８の内部における左右両端部を除く中央部には、必要に応じてウェイトとしての水Ｗを貯留するための貯水部６２が区画形成されている。貯水部６２の上壁には貯水部６２に開口する給水口６３が設けられ、その給水口６３には開閉可能なキャップ６４が着脱可能に取り付けられている。貯水部６２の下端には図示しないバルブを介して前記排水ホース５０に接続された図示しない排水路が設けられ、前記バルブが開放されたときに、貯水部６２内の水Ｗが排出される。
【００２５】
次に、前記のように構成された散水スクリーン装置の機能を説明する。
さて、この散水スクリーン装置を屋外や、屋内の所要個所に搬送して、支持台２８をその個所に載置すると、装置全体が支持台２８を介して安定状態に設置される。そして、支持台２８の左側面のコネクタ４２から延びる延長ケーブル４３を電源に接続する。また、支持台２８の右側面の接続口４８から延びるホース４９を水道管に接続する。さらに、支持台２８の左側面の接続口５２から延びる排水延長ホース５３を排水路等に接続する。
【００２６】
この状態で、操作パネル３４上の運転開始ボタン３６がオンされると、モーター３３により上部回転軸３０が回転されて、両回転軸３０，３１間に張設されたスクリーン３２が周回移動される。それとともに、散水装置４４のミスト噴射ノズル４６からスクリーン３２の裏面側に水がミスト状に散布されて、スクリーン３２の全面が湿潤される。そして、スクリーン３２の周回にともない、スクリーン３２に接触する空気によって水が気化されて、その空気から気化熱が奪われることにより、空気が冷却されるとともに、スクリーン３２から周囲に輻射冷熱が与えられる。
【００２７】
この場合、前記散水装置４４のミスト噴射ノズル４６からスクリーン３２に散布された水は、そのスクリーン３２の面に沿って流下し、樋部材としての下枠部２５内に回収された後、排水ホース５０等を介して外部に排出される。よって、スクリーン３２から流下する水が散水スクリーン装置の設置個所の周囲に溜まったりするおそれはない。
【００２８】
一方、この散水スクリーン装置を屋外の広場のコンクリート上や、建造物の屋上等に固定状態で設置する場合には、図５に示すように、設置面６７に複数の埋め込みボルト２９が設けられる。そして、前記両支柱２２，２３の下端の取付板部２２ａ，２３ａから支持台２８が取り外された状態で、これらの埋め込みボルト２９に対して取付板部２２ａ，２３ａが取付孔２２ｂ，２３ｂにおいて直接に取り付けられ、ナット２２ｃ，２３ｃが締め付けられる。このため、装置全体が設置面６７上に安定状態に設置される。なお、このとき、設置面６７に溝７０を形成し、その溝７０内にホース４９や給電線４１等を収容して、グレーチング等の蓋７０ａをすれば、ホース４９等が見えることなく配置されて、外観を良好にできる。
【００２９】
また、散水スクリーン装置の設置個所が短時間で移動される場合には、図６に示すように、下面にロック機構付きの複数のキャスタ６９を備えた箱状の支持台２８が、両支柱２２，２３の下端の取付板部２２ａ，２３ａに取り付けられる。この構成においては、散水スクリーン装置の搬送に際して、装置全体を吊り上げることなく、キャスタ６９を介して軽い力で移動させることができて、搬送作業を容易に行うことができる。
【００３０】
従って、この実施形態においては、以下の効果がある。
（１）  この実施形態においては、モーター３３による回転軸３０の回転にともなって、スクリーン３２が回転軸３０，３１間で周回移動されながら、散水装置４４からスクリーン３２に対して散水されるようになっている。このため、広い面積のスクリーン３２であっても、その全面に水を適切に保持させることができる。よって、スクリーン３２の全面から水を効率良く気化させることができて、空気から気化熱を有効に奪うとともに、そのスクリーン３２から周囲に対して輻射冷熱を与えることが可能になり、冷却能力を向上させることができる。
【００３１】
（２）  この実施形態においては、上下方向に平行に延びる一対の支柱２２，２３の下端に取付板部２２ａ，２３ａが設けられている。このため、この取付板部２２ａ，２３ａに支持台２８を取り付ければ、安定性が良くなり、装置全体を屋外の不整地であっても、容易に、かつ安定して設置することができる。一方、支柱２２，２３の取付板部２２ａ，２３ａを設置個所に埋め込まれたボルト２９に固定すれば、支持用の支持台２８等を用いることなく、装置を安定に設置することができる。従って、散水スクリーン装置の設置場所のバリエーションが広くなり、設置場所の制約が少なくなって、同装置を各種の状況において使用できる。
【００３２】
（３）  この実施形態においては、支持台２８内に貯水部６２が設けられている。従って、ウェイトとしての水Ｗを給水口６３から貯水部６２内に収容することにより、散水スクリーン装置の重心が低くなって安定性が向上する。ウェイトが不要になれば、水Ｗをバルブの開放により抜くことができる。
【００３３】
（４）  この実施形態においては、散水スクリーン装置をフレーム２１と支持台２８とに分離できるため、保管や長距離の搬送等において、取り扱いに便利である。
（５）  この実施形態においては、支柱２２，２３の下端部間にスクリーン３２上を流下する水を受けるための樋部材としての下枠部２５が架設され、その下枠部２５に水の排出部としての排水ホース５０が接続されている。そして、両支柱２２，２３間に支持された一対の回転軸３０，３１のうちの下部回転軸３１が、下枠部２５内に収容配置されている。このため、スクリーン３２から流下する水を樋部材としての下枠部２５内に回収できる。このため、排出された水によって支持台２８の上面が濡れたり、地面の足場が悪くなったりすることを防止できる。
【００３４】
（６）  この実施形態においては、散水装置４４の導水管４５がフレーム２１の上下の枠部２４，２５間において左右の支柱２２，２３間に架設固定されている。従って、導水管４５がフレーム２１の補強部品を兼用する。このため、支持台２８の部品点数を増やすことなく、フレーム２１を補強でき、従って強風等の外力を受けたとしても、フレーム２１の歪みや変形等を抑制できる。
【００３５】
（第２実施形態）
次に、この発明を具体化した散水スクリーン装置の第２実施形態を、前記第１実施形態と異なる部分を中心に説明する。
【００３６】
この第２実施形態においては、図７に示すように、２枚のスクリーン３２が四角枠状のスクリーン枠８１内にそれぞれ張設された状態で、フレーム２１の上下両枠部２４，２５間において両支柱２２，２３間に相互間隔をおいて平行に固定状態で配置されている。下枠部２５は前記第１実施形態と同様に樋部材として機能する。両スクリーン３２間において、両支柱２２，２３間には散水装置４４の導水管４５が架設され、その導水管４５上に配列された複数のミスト噴射ノズル４６から、両スクリーン３２の裏面側に水がミスト状に散布されるようになっている。
【００３７】
従って、この第２実施形態においては、第１実施形態と同様な効果を得ることができるとともに、以下の効果がある。
（７）  この実施形態においては、スクリーン３２を周回させる必要がないため、フレーム２１としてモーターや回転軸等、スクリーン３２を周回させるための構成が不要になり、部品点数を少なくして、散水スクリーン装置の構造を簡素化できる。
【００３８】
（８）  この実施形態においては、スクリーン３２を周回させる必要がないため、そのスクリーン３２として安価な材質のものを使用できる。
（第３実施形態）
次に、この発明を具体化した散水スクリーン装置の第３実施形態を、前記第１実施形態と異なる部分を中心に説明する。
【００３９】
さて、この第３実施形態においては、図８に示すように、左右の支柱２２，２３間に上下の枠部２４，２５を設けるとともに、上下の回転軸３０，３１間に環状のスクリーン３２を張設した散水スクリーン装置が、屋内の天井部８２に吊り下げ状態で支持されている。すなわち、この実施形態においては支持台２８が設けられず、フレーム２１が第１実施形態に対して上下反転された状態で、両支柱２２，２３の取付板部２２ａ，２３ａが複数のボルト２９及びナット２２ｃ，２３ｃによって天井部８２に取り付けられることにより、散水スクリーン装置が吊り下げ状態に支持されている。
【００４０】
この第３実施形態の場合、散水スクリーン装置が屋内の天井部８２に吊り下げ状態で支持されていることを考慮して、散水装置４４として、ミスト噴射ノズル４６から、高圧空気を利用して微細なミスト，いわゆるドライミストが噴射される二流体噴射装置が用いられている。ミスト噴射ノズル４６の指向方向は必要に応じて選択される。ドライミスト噴射方式においては、ミスト噴射ノズル４６からスクリーン３２に対して大量の水が噴射されることはなく、水がスクリーン３２の表面に沿って流下することを防ぐことができる。その結果、スクリーン３２は湿潤して冷却作用を果たすものの、前記第１実施形態のような排水構造が不要になる。
【００４１】
従って、この第３実施形態においては、前記第１実施形態に記載の効果とほぼ同様な効果を得ることができるとともに、以下の効果を得ることができる。
（９）  この実施形態においては、スクリーン３２を天井部８２に吊り下げ支持したため、屋内において歩行者の歩行等の邪魔にならないように、散水スクリーン装置を設置できる。
【００４２】
（１０）  この実施形態においては、前記のように、スクリーン３２を天井部８２に吊り下げ支持したため、スクリーン３２に広告等の表示を施せば、高い表示効果を得ることができる。
【００４３】
（１１）  この実施形態においては、スクリーン３２を高い位置に配置できるため、冷気を自然に降下させて漂わせることができるため、有効な冷却効果を得ることができる。
（第４実施形態）
次に、この発明を具体化した散水スクリーン装置の第４実施形態を、前記第１実施形態と異なる部分を中心に説明する。
【００４４】
図９に示すように、この第４実施形態においては、散水スクリーン装置は、地面あるいは舗装面（以下、地面と総称する）Ｅｒ上に立設され、支柱２２，２３の下端部を地中に埋設している。すなわち、本実施形態においては、地面Ｅｒに穴Ｄｅが穿たれ、その穴Ｄｅの底部に割栗石７１が敷設されるとともに、さらにその上に均しコンクリート７２が流し込まれている。この均しコンクリート７２の上にベースコンクリート７３が型枠（図示しない）を用いて打設され、このベースコンクリート７３上に支柱２２，２３の下端の取付板部２２ａ，２３ａが載置されて、ボルト２９及びナット２２ｃ，２３ｃによって固定されている。そして、前記ベースコンクリート７３上に型枠（図示しない）により立上がりコンクリート７４が打設されて、その上面が地面Ｅｒに達している。
【００４５】
前記ベースコンクリート７３をブロック状のプレキャストとし、そのベースコンクリート７３を単独で穴Ｄｅ内に設置し、その上に支柱２２，２３を載置してボルト２９及びナット２２ｃ，２３ｃによって固定してもよい。あるいは、工場において支柱２２，２３にベースコンクリート７３を、あるいはベースコンクリート７３及び立上がりコンクリート７４の双方を固定するようにしてもよい。
【００４６】
この第４実施形態においては、以下の効果がある。
（１２）  この実施形態においては、散水スクリーン装置を地面Ｅｒに強固に固定できるため、この散水スクリーン装置を長期間にわたって同一箇所で使用する場合に好都合である。
【００４７】
（変更例）
なお、この実施形態は、次のように変更して具体化することも可能である。
・  前記各実施形態においては、給電線４１やホース４９等を支持台２８の部分から外部に引き出すように構成されている。これに対し、支柱２２，２３のカバー２６に孔を設けるとともに、その孔にブッシュ，ジョイント，接続口等を設けて、そこから給電線４１やホース４９等を引き出すように構成すること。
【００４８】
・  前記第３実施形態において、樋部材を構成する枠部を省略すること。
・  散水スクリーン装置として、支持台２８を設けない構成とすること。
（別の技術的思想）
さらに、上記実施形態により把握される請求項以外の技術的思想について、以下にそれらの効果とともに記載する。
【００４９】
（Ａ）  前記支柱間に架設され、スクリーン上を流下する水を受けるとともに、その水の排出部を備えた樋部材を設けたことを特徴とする請求項１〜３のうちのいずれか一項に記載の散水スクリーン装置。このようにすれば、スクリーンから流下する水を樋部材内に回収して、周囲に飛び散ることなく排出部から排出することができる。
【００５０】
（Ｂ）  前記支柱の両端間にそれぞれ回転軸を支持するとともに、前記スクリーンを両回転軸間に張設したことを特徴とする請求項１〜３，前記技術的思想（Ａ）項のうちのいずれか一項に記載の散水スクリーン装置。このように構成した場合には、回転軸の回転にともなってスクリーンが両回転軸間で周回移動されながら、そのスクリーンに対して散水される。よって、広い面積のスクリーンであっても、その全面に水を適切に保持させることができて、冷却効果を高めることができる。
【００５１】
（Ｃ）  前記回転軸を上下方向に延びる支柱の上下両端に支持するとともに、前記取付板部を両支柱の下端に設け、前記下部側の回転軸を収容するように、前記樋部材を支柱の下端部間に設けたことを特徴とする前記技術的思想（Ａ）項または（Ｂ）項に記載の散水スクリーン装置。このように構成した場合には、両支柱の下端の取付板部に支持用の支持台等を取り付けることにより、両支柱を起立状態に安定に設置することができるとともに、スクリーンから下部側の回転軸上に流下する水を樋部材内に適切に回収することができる。
【００５２】
（Ｄ）  前記散水装置には、支柱間に介在された鋼材よりなる散水部材を設けたことを特徴とする請求項請求項１〜３，前記技術的思想（Ａ）項〜（Ｃ）項のうちのいずれか一項に記載の散水スクリーン装置。この構成によれば、支柱間に専用の補強部材を架設することなく、部品点数を増やすことなく支柱間を補強することができる。
【００５３】
（Ｅ）  前記支柱の取付板部に箱状の支持台を設け、その支持台の内部に貯水部を設けたことを特徴とする請求項１〜３、前記技術的思想（Ａ）項〜（Ｄ）項のうちのいずれか一項に記載の散水スクリーン装置。この構成によれば、貯水部内の水をウェイトとして使用することにより、支持台を介して散水スクリーン装置を安定に設置することができる。
【００５４】
（Ｆ）  前記支柱の下端部を地中に埋設固定したことを特徴とする請求項１に記載の散水スクリーン装置。このようにすれば、散水スクリーン装置を地面に強固に固定できる。
【符号の説明】
【００５５】
２１…フレーム、２２…左側支柱、２２ａ…取付板部、２３…右側支柱、２３ａ…取付板部、２４…上枠部、２５…樋部材としての下枠部、２８…支持台、２９…ボルト、３０…上部回転軸、３１…下部回転軸、３２…スクリーン、３３…モーター、４４…散水装置、４５…散水部材、４６…ミスト噴射ノズル、５０…排水部としての排水ホース、６２…貯水部、６３…給水口、６５…清掃部材としての清掃ブラシ、６７…設置面。
【図１】
0005508786.tif 000002
【図２】
0005508786.tif 000003
【図３】
0005508786.tif 000004
【図４】
0005508786.tif 000005
【図５】
0005508786.tif 000006
【図６】
0005508786.tif 000007
【図７】
0005508786.tif 000008
【図８】
0005508786.tif 000009
【図９】
0005508786.tif 000010